(57)【要約】【課題】ワンタッチで簡単に脱着、交換自在な脱着式飾り具を提供する。【解決手段】下面に、被取付部材へ溶着可能な加熱溶融性の接着剤６をコーティングし、適宜位置に、接合部を上面側に臨ませて雌・雄の留め金５の一方を取付けた基材２と、基材の留め金と対応する位置に、接合部を下面側に臨ませて雌・雄の止め金の他方を取付けると共に、上面に名前、マーク、キャラクター、意匠、絵、文字、写真等々の１種あるいは複数種の組み合せからなる平面状もしくは立体状の表示７が付されている飾り部材と、基材上面に、留め金の一方の接合部を露出させた状態で載置され、基材上面に突出する留め金の高さと略同一の厚さを有するスペーサ部材４とを備えており、スペーサ部材の上から加熱器を当てることで被取付部材へ溶着した基材２へ飾り部材３を雌・雄の留め金５を介して脱着自在に接合するよう構成される。【選択図】　　　　　図１
0003097847.tif 000002
【実用新案登録請求の範囲】
【請求項１】
下面に、被取付部材へ溶着可能な加熱溶融性の接着剤をコーティングし、適宜位置に、接合部を上面側に臨ませて雌・雄の留め金の一方を取付けた基材と、
前記基材の留め金と対応する位置に、接合部を下面側に臨ませて雌・雄の止め金の他方を取付けると共に、上面に名前、マーク、キャラクター、意匠、絵、文字、写真等々の１種あるいは複数種の組み合せからなる平面状もしくは立体状の表示が付されている飾り部材と、
前記基材上面に、前記留め金の一方の接合部を露出させた状態で載置され、基材上面に突出する留め金の高さと略同一の厚さを有するスペーサ部材とを備えているものであって、
前記スペーサ部材の上から加熱器を当てることで被取付部材へ溶着した基材へ前記飾り部材を雌・雄の留め金を介して脱着自在に接合することを特徴とする脱着式飾り具。
【請求項２】
基材として、フェルト生地、デニム生地、プラスチックシート等の柔軟性と熱伝導性とを有するシート状物を用いることを特徴とする請求項１記載の脱着式飾り具。
【請求項３】
飾り部材として、フェルト生地、デニム生地、プラスチックシート、塩化ビニール、ポリレジン、プラスチック成型品、金属、木材、あるいは紙を素材として用いることを特徴とする請求項１記載の脱着式飾り具。
【請求項４】
金属製の飾り部材として、適宜位置に雌・雄の留め金の一方を備えたブリキ製のカンバッチを用いることを特徴とする請求項１または３記載の脱着式飾り具。
【考案の詳細な説明】
【０００１】
【考案の属する技術分野】
本考案は、ワッペン、ブローチ、ポケット、バッチ等のような脱着式飾り具に関する。
【０００２】
【従来の技術】
従来、若年者（特に女子）等では、自己が所持するカバン、ポシェット、サイフなどの物入れや衣服の表面に種々な飾りを付けることが多い。この飾りとしては、例えば美麗なカラー絵、写真、シール等と共に、所持者の名前、愛称等が付されたワッペンやバッチ等が利用され、既述の被取付部材の表面に取付けられる。
【０００３】
【考案が解決しようとする課題】
しかしながら、前記した従来品は、被取付部材の表面に糊付け、縫着あるいは留めピン等で取付けられるため、前２者ではいったん取付けると容易には取外すことができず、交換に不便であった。
【０００４】
また、後者では脱着操作が厄介であり、また、重い飾り具は取付け強度の面から使用しにくく、しかも安全性に問題があった。
【０００５】
さらに、従来では、熱に弱い素材を使ってワッペン等を作ることができなかった。さらにまた、厚手の製品だと被取付部材の裏面からアイロン当て加熱しなければならないため、表・裏２度のアイロンが必要となる問題があった。
【０００６】
本考案は、前記した問題点を解消するもので、上面にスペーサ部材、下面に接着剤を有することで被取付部材へ加熱器で簡単に接着できる基材と、雌・雄の留め金を介して基材へワンタッチで簡単に脱着できる飾り部材とを備えた脱着式飾り具を提供することを目的とする。
【０００７】
【課題を解決するための手段】
上記目的を達成するために、本考案に係る脱着式飾り具は、請求項１では、下面に、被取付部材へ溶着可能な加熱溶融性の接着剤をコーティングし、適宜位置に、接合部を上面側に臨ませて雌・雄の留め金の一方を取付けた基材と、
前記基材の留め金と対応する位置に、接合部を下面側に臨ませて雌・雄の止め金の他方を取付けると共に、上面に名前、マーク、キャラクター、意匠、絵、文字、写真等々の１種あるいは複数種の組み合せからなる平面状もしくは立体状の表示が付されている飾り部材と、
前記基材上面に、前記留め金の一方の接合部を露出させた状態で載置され、基材上面に突出する留め金の高さと略同一の厚さを有するスペーサ部材とを備えているものであって、
前記スペーサ部材の上から加熱器を当てることで被取付部材へ溶着した基材へ前記飾り部材を雌・雄の留め金を介して脱着自在に接合することを特徴とする。
【０００８】
請求項２では、基材として、フェルト生地、デニム生地、プラスチックシート等の柔軟性と熱伝導性とを有するシート状物を用いることを特徴とする。
【０００９】
請求項３では、飾り部材として、フェルト生地、デニム生地、プラスチックシート、塩化ビニール、ポリレジン、プラスチック成型品、金属、木材、あるいは紙を素材として用いることを特徴とする。
【００１０】
請求項４では、金属製の飾り部材として、適宜位置に雌・雄の留め金の一方を備えたブリキ製のカンバッチを用いることを特徴とする。
【００１１】
【考案の実施の形態】
以下、本考案の実施の形態について図面を参照して詳細に説明する。
図１は、本考案に係る脱着式飾り具の一例を示す分解斜視図であり、図２は、他例を示す分解斜視図であり、図３は、被取付部材に対する取付作業の途中を示す断面図であり、図４は、取付状態を示す断面図である。
【００１２】
本考案の脱着式飾り具１は、基材２と、飾り部材３と、スペーサ部材４および雌・雄の留め金５とを主要部材として構成されている。
【００１３】
前記基材２は、次のように構成される。
適宜形状、大きさに裁断されたフェルト生地の下面に、加熱溶融性の接着剤６が、コーティングされている。このフェルト生地の他に、柔軟性と熱伝導性とを有するシート状物であれば、デニム生地、プラスチックシート等でもよい。
【００１４】
前記接着剤６としては、ポリエチレン、エチレンおよびエチレン共重合体、ＥＶＡポリマー、エチレン・アクリレート共重合樹脂、アイオノマー樹脂、ポリアミド樹脂、ナイロン樹脂、ポリエステル樹脂、ポリプロピレン樹脂等々が用いられる。いずれの材料でも、加熱器（図示しない）の熱が基材２を通して伝達され、当該熱によって基材２下面の被取付部材１１へ溶着されるものでなければならない。なお、加熱器としてはアイロンが好適である。
【００１５】
前記飾り部材３は、次のように構成される。
図１に示したように、基材２のフェルト生地に対応する形状、大きさに裁断されたフェルト生地の上面に、名前、マーク、キャラクター、意匠、絵、文字、写真等の１種あるいは複数種の組み合せからなる平面状もしくは立体状の表示７が付されている。このフェルト生地の他に、デニム生地、プラスチックシート、塩化ビニール、ポリレジン、プラスチック成型品、金属板、木材あるいは紙を利用することもできる。
【００１６】
また、図２に示したように、金属板製の飾り部材３として、ブリキ製のカンバッチ８を利用することもできる。このカンバッチ８の中央部には雌・雄の留め金５の一方が取付けられている。さらに、このカンバッチ８の表面にも既述の表示７が付される。
【００１７】
前記スペーサ部材４は、次のように構成される。
飾り部材３と同形、同大に裁断され、かつ基材２の上面に突出する留め金５の高さと略同一の厚さを有するシート状物にて形成されている。このシート状物は、加熱器を当てるときに留め金５が障害とならないようにするためのもので、必ずしも飾り部材３と同形、同大でなくてもよい。また、その素材も基材２や飾り部材３等と同等もしくは異種のものを用いることができる。なお、このスペーサ部材４における基材２の留め金５と対応する位置には貫通穴４ａがあけられている。
【００１８】
前記留め金５は、次のように構成される。
ワンタッチで接・離自在な雌型９と雄型１０とからなるもので、図示例では基材２に雄型１０が、飾り部材３に雌型９が取付けられているが、これとは逆に、飾り部材３に雄型１０が、基材２に雌型９が取付けられてもよい。また、留め金５の取付位置や数も図示例に限られるものではなく、基材および飾り部材３の形状、大きさ等に応じて最適なものを選定すればよい。なお、雄型１０の接合部１０ａと雌型９の接合部９ａとが互いに向き合うようにして基材２と飾り部材３に取付けられるのは勿論である。
【００１９】
次に、本考案の使用方法について説明する。
先ず、図３に示したように、カバン、ポシェット、サイフなどの物入れや衣服等の被取付部材１１の表面に、基材２下面の接着剤６側を当接する。このとき、基材２の上面にはスペーサ部材４を留め金５の接合部９ａあるいは１０ａを、貫通穴４ａ上方に露出させた状態で載置する。
【００２０】
次いで、加熱したアイロンをスペーサ部材４の上面に当てると、アイロンから発する熱がスペーサ部材４、基材２を介して接着剤６に伝達され、接着剤６を加熱溶融させる。こうして基材２は被取付部材１１の表面に溶着される。
【００２１】
以上のようにして基材２の被取付部材１１に対する取付作業が完了したら、図４に示したように飾り部材３を留め金５を介してワンタッチにて接合するものである。飾り部材３を必要に応じて交換するときは留め金５をワンタッチにて取り外すこともできる。
【００２２】
【考案の効果】
本考案は、以上詳述したように構成されたものであるから、基材をその下面に形成された接着剤を介して被取付部材の所望の位置に加熱器を使って簡単に溶着することができる。しかも、その際、加熱器は基材上面にセットされたスペーサ部材上面から当てるものであるから、基材に突設された留め金が障害となることがなく、基材を被取付部材へ均等に溶着することができる。さらに、薄手の素材を使用できるため、従来のワッペン等のように被取付部材の裏面から加熱する必要は全くないものである。
【００２３】
一方、飾り部材は雌・雄の留め金を介してワンタッチにて接・離できるものであるから、必要に応じて随時交換することができる。したがって、従来のワッペンなどと比べて利便性に優れ、商品としての価値が向上し、消費者に好まれること請け合いである。また、熱に弱い素材を使用できるため、広範囲の素材を選定できるメリットがある。さらに、留めピンで固定するものと比べて操作性や安全性にも優れている。
【図面の簡単な説明】
【図１】本考案に係る脱着式飾り具の一例を示す分解斜視図である。
【図２】同上の他例を示す分解斜視図である。
【図３】被取付部材に対する取付作業の途中を示す断面図である。
【図４】被取付部材に対する取付状態を示す断面図である。
【符号の説明】
１　　脱着式飾り具
２　　基材
３　　飾り部材
４　　スペーサ部材
５　　留め金
６　　接着剤
７　　表示
８　　カンバッチ
９　　雌型
１０　雄型
１１　被取付部材
【図１】
0003097847.tif 000003
【図２】
0003097847.tif 000004
【図３】
0003097847.tif 000005
【図４】
0003097847.tif 000006